(57)【要約】      （修正有）【課題】管理している本を含む商品の出し入れを効率的に行い、複数台の管理についても、その管理スペースが限られた面積で管理できる台車を提供する。【解決手段】起立フレーム１０、基台フレーム２０、補助フレーム３０、座フレーム４０によって全体の主なフレーム構成を形成し、そこに、起立フレーム１０の上部に配設し、所定の角度の平面部５１及び平面部５１の下端に形成した滑り止め部５２からなる書見台５０と、書見台５０の下部に位置し、直角に形成された底面及び背面並びに底面及び背面に直角に形成された両端面からなり、前記底面と背面の交点が最下位置となる角物収納部６０と、座フレーム４０の上に形成され、補助フレーム３０側を回動軸４１として回動自在とし、回動軸４１の後方に形成された跳ね上げ部４２が座フレーム４０の上部を後方に進行するとき、上方に回動自在とし、上面を平面とした台部７０を配設したものである。【選択図】図１
2013147125.tif 000002
【特許請求の範囲】
【請求項１】
左右両側に対向起立配置された起立フレームと、
前記起立フレームの下部と接合されて前方に略Ｖ字状に突設され、後方が対向起立配置された前記起立フレームの左右に固着され、その下部に３個以上のキャスタが配設された基台フレームと、
前記起立フレームの任意の高さから前方に延び、前記略Ｖ字状に突設された基台フレームに下部が接続された補助フレームと、
前記補助フレームから前方に略Ｖ字状に突設され、後方が対向起立配置された前記補助フレームの左右に固着された座フレームと、
前記起立フレームの上部に配設し、所定の角度の平面及び前記平面の下端に形成した滑り止めからなる書見台と、
前記書見台の下部に位置し、直角に形成された底面及び背面並びに底面及び背面に直角に形成された両端面からなり、前記底面と背面の交点が最下位置となる角物収納部と、
前記座フレームの上に形成され、前記補助フレーム側を回動軸として回動自在とし、前記回動軸の後方に形成されてなる跳ね上げ部が前記座フレームの上部を後方に進行するとき、上方に回動自在とし、上面を略平面とした台部と
を具備することを特徴とする万能カート。
【請求項２】
左右両側に対向起立配置された起立フレームと、
前記起立フレームの下部と接合されて前方に略Ｖ字状に突設され、後方が対向起立配置された前記起立フレームの左右に固着され、その下部に３個以上のキャスタが配設された基台フレームと、
前記起立フレームの任意の高さから後方に延び、前記略Ｖ字状に突設された基台フレームに下部が接続された補助フレームと、
前記起立フレームから前方に略Ｖ字状に突設され、後方が対向起立配置された前記起立フレームの左右に固着された座フレームと、
前記起立フレームの上部に配設し、所定の角度の平面及び前記平面の下端に形成した滑り止めからなる書見台と、
前記書見台の下部に位置し、直角に形成された底面及び背面並びに底面及び背面に直角に形成された両端面からなり、前記底面と背面の交点が最下位置となる角物収納部と、
前記座フレームの上に形成され、前記起立フレーム側を回動軸として回動自在とし、前記回動軸の後方に形成されてなる跳ね上げ部が前記座フレームの上部を後方に進行するとき、上方に回動自在とし、上面を略平面とした台部と
を具備することを特徴とする万能カート。
【請求項３】
更に、前記台部の下に位置する前記座フレームと前記基台フレームとの間に形成され、前記基台フレームに取り付けられ、前記起立フレームに近づくに従ってその高さを上げるように形成した底面を有し、前記台部を開放することにより、収容または取り出しが自在な収容スペースを具備することを特徴とする請求項１または請求項２に記載の万能カート。
【発明の詳細な説明】
【技術分野】
【０００１】
本発明は、図書館、スーパーマーケット、コンビニ等の店舗で本を含む商品の出し入れ、商品の返却、返品整理に用いられる手押しの万能カートに関するもので、特に、書見台及び台部をステップとして使用できるカートに関するものである。特に、図書館では、混雑した館内で椅子がない場合には、椅子としても、書見台としても使用できる万能カートに関するものである。
【背景技術】
【０００２】
周知のように、スーパーマーケット等の店舗で使用されているショッピングカートは、買物客が大量の商品を入れて重くなった買物籠を持ち歩かなくてもよいように、買物かごを載せて運ぶためのカート（手押し車）である。
そして、この種のショッピングカートにおいては、重量の大きい商品を大量に載せた場合、また、子供用座席が設けられているものにおいて子供用座席に子供を載せた場合にも十分に耐えることができる程度の機械的強度及び剛性を有することが要求されており、ショッピングカートの骨格を構成する各種フレームには、機械的強度を考慮して金属製材料が使用されている。
【０００３】
一方、特許文献１は、通路又はその近傍に配置され、それぞれ配置されている位置に応じた位置コードを記憶し、通信時、この記憶した位置コードを無線送信する複数の位置タグと、各位置タグの位置コードと配置位置を示す座標情報を関連付けて記憶したデータベースを設けたサーバと、左右の一方又は両方に指向性アンテナを配置し、通路に沿って移動する移動体装置とからなり、移動体装置は、指向性アンテナを使用して略対向する位置にある位置タグと無線通信を行い、その位置タグの位置コードを読取るコード読取手段と、このコード読取手段が読取った位置コードとこの位置コードの読み取りに使用した指向性アンテナの配置情報をサーバに送信する送信手段と、サーバから座標情報と進行方向を受信し、自己の位置と向きを表示する表示手段を設け、サーバは、移動体装置からの位置コードによりデータベースから対応する座標情報を取得し、この座標情報と読み取りに使用した指向性アンテナの配置情報から移動体装置の座標情報と進行方向を判断する判断手段を備えた移動体管理システムを開示している。
【先行技術文献】
【特許文献】
【０００４】
【特許文献１】特開２００７−１０８１４４号公報
【発明の概要】
【発明が解決しようとする課題】
【０００５】
特許文献１に記載のショッピングカートは、例えば、店舗におけるショッピングカート、倉庫にけるフォークリフト、図書館における図書搬送カート等のカートの移動を管理する移動体管理システムとして使用することができ、任意の位置におけるカートの向き、位置を確実に把握できる。
しかし、特許文献の技術は、管理している商品のところまで人(操作者Ｍ)が行き難い倉庫管理或いは管理すべき商品、部品が非常に多い場合には、効率的であるが、通常のスーパーマーケット、コンビニ、図書館等の店舗で本を含む商品の出し入れを行うには非効率的である。また、特許文献１は商品の返却、返品整理に用いることについては、予測されていない。
そして、特許文献１のカートはその平面面積だけの占有がなされ、複数台保有するとその管理スペースの確保が必要になる。
【０００６】
そこで、本発明は、管理している本を含む商品の出し入れを効率的に行い、複数台の管理についても、その管理スペースが限られた面積で管理できる万能カートの提供を課題とするものである。
【課題を解決するための手段】
【０００７】
請求項１の発明にかかる万能カートは、起立フレーム、基台フレーム、補助フレーム、座フレームによって主な全体フレーム構成を形成し、そこに、前記起立フレームの上部に配設し、所定の角度の平面部及び前記平面部の下端に形成した滑り止め部からなる書見台と、前記書見台の下部に位置し、直角に形成された底面及び背面並びに底面及び背面に直角に形成された両端面からなり、前記底面と背面の交点が最下位置となる角物収納部と、前記座フレームの上に形成され、前記補助フレーム側を回動軸として回動自在とし、前記回動軸の後方に配設され、上方に回動する上面を平面とした台部を跳ね上げ、前記跳ね上げにより前記座フレームの上部を後方に進行するとき動作するものである。
【０００８】
ここで、上記起立フレームは、左右両側に併設されるように対向起立配置され、全体を逆Ｕ字状として一体に形成したり、並行する一対の略Ｌ字状のフレームとすることができる。
また、上記基台フレームは、前記１対の起立フレームの下部で接合されて前方に略Ｖ字状に突設され、後方が対向起立配置された前記起立フレームの左右に固着され、その下部に２個以上のキャスタが配設されたものである。ここで、前記前方に略Ｖ字状に突設するは、尖鋭な突起をいうものではなく、略Ｕ字状に出ていればよく、また、略コ字状であってもよい。何れにせよ、前方の幅が後方の幅よりも狭いことを意味する。
そして、上記補助フレームは、前記起立フレームの任意の高さから前方に突出し、前記略Ｖ字状に突設された基台フレームに下端を接続されたもので、直線的または逆Ｌ字状的、弧状的に接続したものである。
【０００９】
更に、上記座フレームは、前記補助フレームから前方に略Ｖ字状に突設され、後方が対向起立配置された前記補助フレームの左右に固着されたものである。前記前方に略Ｖ字状に突設は、尖鋭な突起をいうものではなく、略Ｕ字状であればよく、また、略コ字状であってもよい。何れにせよ、前方の幅が後方の幅よりも狭いことを意味する。通常、前記基台フレームの形状に略同様の形状にされる。
加えて、上記書見台は、前記起立フレームの上部に配設し、所定の角度の平面及び前記平面の下端に形成した滑り止めからなる。ここで、所定の角度の平面とは、前方に高く設定してもよいし、後方に高く設定してもよいし、或いは側面に傾斜させてもよい。それに伴い滑り止めの位置が最下部の位置として固定される。
【００１０】
また、上記角物収納部は、前記書見台の下部に位置し、直角に形成された底面及び背面並びに底面及び背面に直角に形成された両端面からなり、前記底面と背面の交点が最下位置となっている。ここで、前記底面と背面の交点が最下位置とは、本または箱物等の角物を一時的に格納しやすくしたものである。
そして、上記台部は、前記座フレームの上に形成され、前記補助フレーム側を回動軸として回動自在とし、他の万能カートに直列に整列させるとき、前記回動軸の後方に配設された跳ね上げ部が、前記座フレームの上部を後方に進行するとき、それに合わせて台部が上方に回動させるものである。
【００１１】
請求項２の発明にかかる万能カートは、起立フレーム、基台フレーム、補助フレーム、座フレームによって主な全体フレーム構成を形成し、そこに、前記起立フレームの上部に配設し、所定の角度の平面部及び前記平面部の下端に形成した滑り止め部からなる書見台と、前記書見台の下部に位置し、直角に形成された底面及び背面並びに底面及び背面に直角に形成された両端面からなり、前記底面と背面の交点が最下位置となる角物収納部と、前記座フレームの上に形成され、前記起立フレーム側を回動軸として回動自在とし、前記回動軸の後方に配設され、前記座フレームの上部を後方に進行するとき、跳ね上げ部によって、台部が上方に回動させられるものである。
【００１２】
ここで、上記起立フレームは、左右両側に並行するように対向起立配置され、上部に把持部を設けたものであり、全体を逆Ｕ字状としたり、並行する一対の略Ｌ字状のフレームとすることができる。
また、上記基台フレームは、前記１対の起立フレームと下部で接合されて前方に略Ｖ字状に突設され、後方が対向起立配置された前記補助フレームの左右に固着され、その下部に３個以上のキャスタが配設されたものであり、前記前方に略Ｖ字状に突設するは、尖鋭な突起をいうものではなく、略Ｕ字状に出ていればよく、また、略コ字状であってもよい。何れにせよ、前方の幅が後方の幅よりも狭いことを意味する。
そして、上記補助フレームは、前記起立フレームの任意の高さから後方に延び、前記略Ｖ字状に突設された基台フレームに下部を接続されたもので、直線的または逆Ｌ字状的、弧状的に接続したものである。
【００１３】
更に、上記座フレームは、前記起立フレームから前方に略Ｖ字状に突設され、後方が対向起立配置された前記起立フレームの左右に固着されたものである。前記前方に略Ｖ字状に突設は、尖鋭な突起をいうものではなく、略Ｕ字状であればよく、また、略コ字状であってもよい。何れにせよ、前方の幅が後方の幅よりも狭いことを意味する。通常、前記基台フレームの形状に略同様の形状にされる。
加えて、上記書見台は、前記起立フレームの上部に配設し、所定の角度の平面及び前記平面の下端に形成した滑り止めからなる。ここで、所定の角度の平面とは、前方に高く設定してもよいし、後方に高く設定してもよいし、或いは側面に傾斜させてもよい。それに伴い滑り止めの位置が最下部の位置として固定される。
【００１４】
また、上記角物収納部は、前記書見台の下部に位置し、直角に形成された底面及び背面並びに底面及び背面に直角に形成された両端面からなり、前記底面と背面の交点が最下位置となっている。ここで、前記底面と背面の交点が最下位置とは、本または箱物等の角物を一時的に格納しやすくしたものである。
そして、上記台部は、前記座フレームの上に形成され、前記補助フレーム側を回動軸として回動自在とし、他の万能カートに直列に整列させるとき、前記回動軸の後方に配設され、前記座フレームの上部を後方に進行するとき、それに合わせて跳ね上げ部が台部を上方に回動自在としたものである。
【００１５】
請求項３の発明にかかる万能カートは、更に、前記台部の下に位置する前記座フレームと前記基台フレームとの間に形成され、前記基台フレームに取り付けられ、前記起立フレームに近づくに従ってその高さを上げるように形成した底面を有し、前記台部を開放することにより、収容または取り出しが自在な収容スペースを具備するものである。
ここで、前記起立フレームに近づくに従ってその高さを上げるように形成した底面は、同様の万能カートが重なり会うことが可能なようにしたものであり、隣接する万能カートが重なり合うことができる傾度であればよい。
【発明の効果】
【００１６】
請求項１の発明の万能カートによれば、起立フレーム、基台フレーム、補助フレーム、座フレームによって全体の主なフレーム構成を形成し、そこに、前記起立フレームの上部に配設し、所定の角度の平面部及び前記平面部の下端に形成した滑り止め部からなる書見台と、前記書見台の下部に位置し、直角に形成された底面及び背面並びに底面及び背面に直角に形成された両端面からなり、前記底面と背面の交点が最下位置となる角物収納部と、前記座フレームの上に形成され、前記補助フレーム側を回動軸として回動自在とし、前記回動軸の後方に配設され、前記座フレームの上部を後方に進行するとき、それに合わせて台部が跳ね上げ部で上方に回動させるものである。
【００１７】
したがって、書見台には頁を開いた本以外にも、商品出しの配置図、店舗内の地図、図書館内の図書の配置図、パソコン等を置くことができる。また、商品の補充の場合には、当該リストを置き、その納品の確認を行うことができる。この書見台は書物を読む意味に限られた書見台ではなく、次に、陳列する商品の一時置きとしても使用できる。
また、角物収納部は書物の一時置きとしては勿論、菓子の箱物等の一時置き、袋物置としても使用できる。特に、図書館では、借り出す本、返却する本を入れて、特定の書庫まで搬送するのにも使用される。
そして、台部には、他に商品出しを行う商品、回収商品、箱物、本等を積載できる。特に、腰掛けとしても、踏み台としても使用でき、２ｍ前後の高さの作業にも向いている。特に、図書館では、書庫の高い位置での本の取出し、収納に利用できる。
【００１８】
請求項２の発明の万能カートによれば、起立フレーム、基台フレーム、補助フレーム、座フレームによって全体の主なフレーム構成を形成し、そこに、前記起立フレームの上部に配設し、所定の角度の平面部及び前記平面部の下端に形成した滑り止め部からなる書見台と、前記書見台の下部に位置し、直角に形成された底面及び背面並びに底面及び背面に直角に形成された両端面からなり、前記底面と背面の交点が最下位置となる角物収納部と、前記座フレームの上に形成され、前記補助フレーム側を回動軸として回動自在とし、前記回動軸の後方に配設され、前記座フレームの上部を後方に進行するとき、それに合わせて台部が跳ね上げ部を上方に回動させるものである。
【００１９】
したがって、書見台には頁を開いた本以外にも、商品出しの配置図、店舗内の地図、図書館内の図書の配置図、パソコン等を置くことができる。また、商品の補充の場合には、当該リストを置き、その納品の確認を行うことができる。この書見台は書物を読む意味に限られた書見台ではなく、次に、陳列する商品の一時置きとしても使用できる。
また、角物収納部は書物の一時置きとしては勿論、菓子の箱物等の一時置き、袋物置としても使用できる。特に、図書館では、借り出す本、返却する本を入れて、特定の書庫まで搬送するのにも使用される。
そして、台部には、他に商品出しを行う商品、回収商品、箱物、本等を積載できる。特に、腰掛けとしても、踏み台としても使用でき、２ｍ前後の高さの作業にも向いている。特に、図書館では、書庫の高い位置での本の取出し、収納に利用できる。
【００２０】
請求項３の発明の万能カートによれば、請求項１または請求項２の構成に更に、前記台部を開放することにより、そこに商品等の物品の収容または取り出しが自在であり、商品の出し入れに使用でき、また、段ボール箱を入れることにより、回収箱としても使用できる収容スペース４６となる。特に、図書館等においては、私物置きとして使用できる。
【図面の簡単な説明】
【００２１】
【図１】図１は本発明の実施の形態１にかかる万能カートの書見台側から見た全体斜視図である。
【図２】図２は本発明の実施の形態１にかかる万能カートの台部側から見た全体斜視図である。
【図３】図３は本発明の実施の形態１にかかる万能カートの連結配置状態を示す側面図である。
【図４】図４は本発明の実施の形態１にかかる万能カートの側面から見た使用状態を示す側面図（ａ）及び他の使用状態を示す側面図（ｂ）である。
【図５】図５は本発明の実施の形態２にかかる万能カートの書見台側から見た全体斜視図である。
【図６】図６は本発明の実施の形態３にかかる万能カートの書見台側から見た全体斜視図である。
【発明を実施するための形態】
【００２２】
以下、本発明の実施の形態について、図面を参照しながら説明する。
なお、実施の形態において、各図面の同一の記号及び同一の符号は同一または相当する機能部分を意味し、ここでは重複する詳細な説明を省略する。
また、以下の説明において、構成部材は左右対称に構成されている。なお、通常、操作者Ｍは把持部１９のある方向から押すことになるから、把持部１９の方向から見て前後、左右を判断するものとする。
【００２３】
[実施の形態１]
図１乃至図４に示すように、本実施の形態１の万能カート１は、起立フレーム１０、基台フレーム２０、補助フレーム３０、座フレーム４０によって全体をアルミニウム製またはスチール製の管材からなる主なフレーム構成となっている。
起立フレーム１０は左右両側に併設して対向し、水平面に対して起立して配置され、上部に把持部１９を形成したものである。本実施の形態１におれる起立フレーム１０は、全体を正面側から見て一体の逆Ｕ字状としているが、各々を独立させ並行する２本の略Ｌ字状とすることもできるし、略Ｈ型に形成することもできる。これらの基本的形状は、それ以外の特定の形状に拘る理由がない。
【００２４】
基台フレーム２０は、起立フレーム１０の下部で接合されて前方に略Ｖ字状に突設され、後方が対向して起立配置された起立フレーム１０の左右に溶接等で固着され、その下部に４個上のキャスタ２１が配設されている。この基台フレーム２０の前方に略Ｖ字状に突設した形状とは、尖鋭な突起をいうものではなく、略Ｕ字状であればよい。また、略コ字状であってもよい。何れにせよ、前方の幅が後方の幅よりも狭いことを意味するものである。この前方に略Ｖ字状に突設された構造は複数台を重ね合わせるための構造である。
【００２５】
また、キャスタ２１は本実施の形態では前側に２個、後側に２個の計４個配設しているが、本発明を実施する場合には、２個以上であればよい。特に、前側に２個または後側に２個とした場合、他の後側の２個または前側の２個は滑り止めの脚足とすることにより、停止させた位置でストッパー機能が働くことになる。３個の場合には、前側に１個、後側に２個とするのが望ましい。基台フレーム２０に対するキャスタ２１の取付けは、直接的または間接的でも良い。直接的とは、基台フレーム２０自体に取付けることを意味し、間接的とは、他の部材を使用するか、起立フレーム１０の下部を使用することを意味する。
そして、前記キャスタ２１に加わる荷重が、２０〜４０ＫＧを超えるとストッパーがかかる構造のものを使用することもできる。
【００２６】
補助フレーム３０は、起立フレーム１０の任意の高さから前方に延び、略Ｖ字状に突設された基台フレーム２０に下端を接続したもので、直線状に起立フレーム１０に接続する方法、または逆Ｌ字状的に起立フレーム１０の立ち上がりとして接続する方法、弧状的に起立フレーム１０の立ち上がりに接続する方法等があり、何れの方法を採用してもよい。この補助フレーム３０は、後述する角物収納部６０及び台部７０の位置決めとして機能する。
【００２７】
座フレーム４０は、補助フレーム３０から前方に略Ｖ字状に突設され、後方端部が対向起立配置された補助フレーム３０の左右に固着されたものである。前記前方に略Ｖ字状に突設は、尖鋭な突起をいうものではなく、略Ｕ字状であればよく、また、略コ字状であってもよい。何れにせよ、略Ｖ字状に突設とは、前方の幅が後方の幅よりも狭いことを意味する。通常、基台フレーム２０の形状に略同様の形状にされる。同様の形状とは、必ずしも同一または相似形を意味するものではなく、前方の幅が後方の幅よりも狭いという構成に共通性があるという意味である。この前方に略Ｖ字状に突設された構造は複数台を重ね合わせるための構造である。
【００２８】
加えて、書見台５０は、起立フレーム１０の上部に配設し、所定の角度の平面部５１及び平面部５１の下端に形成した滑り止め部５２からなる。
書見台５０は、起立フレーム１０の上部に配設した枠体５３に板材を配設することにより、板材の上面に平面部５１を形成している。
本実施の形態においては、枠体５３は起立フレーム１０の上部に溶接されているが、本発明を実施する場合には、枠体５３を起立フレーム１０の側部または下部、上部の何れかに配設すればよい。
【００２９】
前記書見台の下部に位置する角物収納部６０は、直角に形成された底面６１及び背面６２並びに底面６１及び背面６２に直角に形成された両端面６３，６４からなり、底面６１と背面６２の交点の辺が最下位置となっている。即ち、角物収納部６０は、後方及び上方に開口した形態となっている。しかし、本発明を実施する場合には、前方のみまたは後方のみ、または上方のみを開放とすることができる。当然ながら、前方側を開放させるには、図５に示すように、底面６１と背面６２の交点の辺が最下位置であり、また、後方位置となる。特に、両端面６３，６４は上部を面取りした形態にしている。この角物収納部６０は、起立フレーム１０の左右相互間、補助フレーム３０の左右相互間に棒材を配設し、その上に取り付けている。
【００３０】
座フレーム４０の上に形成された上面を平面とした台部７０は、補助フレーム３０側を回動軸４１として回動自在とし、回動軸４１の後方に突出して形成されてなる跳ね上げ部４２は、座フレーム４０の上部の台部７０の先端７１が後方に相対移動するとき、台部７０を上方に跳ね上げて回動を自在としている。即ち、台部７０の先端７１の裏面は、前方を薄く、徐々に厚く形成されており、前方の裏面が、後方の裏面よりも高い位置に設定されています。
【００３１】
したがって、床面をキャスタ２１が転動すると、基台フレーム２０が水平移動し、回動軸４１の後方に突出して形成された跳ね上げ部４２によって、座フレーム４０の上部の台部７０の先端７１の下側に入り、両者が深く結合する方向に相対移動すると、台部７０の先端７１の裏面は、前方を薄く、徐々に厚く形成されており、先端７１の裏面の前方が床からの距離が高く、徐々に低くなっているから、跳ね上げ部４２が上方に回動し、図３のように、基台フレーム２０の回動角度が大きくなり、両者の重なり合いを許容する。この重なり合いは、基台フレーム２０を維持する枠状に形成し、座フレーム４０及び補助フレーム３０及び基台フレーム２０に溶接した座補助フレーム４３と、他の万能カート１の補助フレーム３０との当接によって、位置決めされる。
【００３２】
なお、座補助フレーム４３は、略ロ字状の枠体とし、座フレーム４０の下側及び補助フレーム３０の前側及び基台フレーム２０の上側にそれぞれ溶接している。また、略ロ字状の枠体は、補助フレーム３０と溶接する隅を直角とせず、略斜４５度に枠体の座補助フレーム４３として面取りを行っており、座フレーム４０及び補助フレーム３０及び基台フレーム２０との機械的強度を増している。
【００３３】
また、基台フレーム２０の上側には、前方を低く、後方を高く配置したフレーム網４４が配設されている。フレーム網４４は線材を折曲し、長方形状の大枠を形成し、その中に長方形状の小枠を配置し、溶接したものであり、その網目である長方形状の小枠の幅は、その上に積載する材料によって決定されるが、標準使用で５０〜１５０ｍｍの間に設定される。また、フレーム網４４はメタルラスで形成することもできる。
【００３４】
このフレーム網４４は前方が基台フレーム２０の前側に溶接され、後方は補助フレーム３０間に溶接によって配設した連結バー４５の上に溶接している。また、フレーム網４４の後端は起立しており、フレーム網４４の上に載せたものが後方に落下しないようにしている。
【００３５】
本実施の形態では、フレーム網４４の側面が開放されているが、本発明を実施する場合には、フレーム網４４と座フレーム４０との前方または座フレーム４０と基台フレーム２０の前方にも落下防止用の線材または網を配設することができる。しかし、本実施例では、所定の箱物を入れることを前提とし、図書館では個人（操作者Ｍ）の荷物を入れることを前提としているので、開放としている。
【００３６】
したがって、座フレーム４０の上の台部７０は、回動軸４１を軸芯として回動すると、開口する座フレーム４０が現れ、座フレーム４０の開口する範囲で収納できる収容空間４６が形成される。この収容空間４６は台部７０を開放する以外に、前方から基台フレーム２０と座フレーム４０との間に挿入することもできる。
【００３７】
本実施の形態の書見台５０は、起立フレーム１０の上部に配設し、所定の角度の平面部５１及び平面部５１の下端に形成した滑り止め部５２からなる。しかし、所定の角度の平面部５１は、前方に高く設定してもよいし、後方に高く設定してもよいし、或いは側面に傾斜させてもよい。それに伴い滑り止め部５２の位置が最下部の位置として変化する。
【００３８】
このように構成された万能カート１によれば、書見台５０には頁を開いた本以外にも、商品出しの配置図、店舗内の地図、図書館内の図書の配置図、パソコン等を置くことができる。また、商品の補充の場合には、当該リストを置き、その納品の確認を行うことができる。この書見台は書物を読む意味に限られた書見台ではなく、次に、陳列する商品の一時置きとしても使用できる。また、角物収納部６０は書物の一時置きとしては勿論、菓子の箱物等の一時置き、袋物置としても使用できる。特に、図書館では、借り出す本、返却する本を入れて、特定の書庫まで搬送するのにも使用される。
そして、台部７０には、他に商品出しを行う商品、回収商品、箱物、本等を積載できる。特に、腰掛けとしても、踏み台としても使用でき、２ｍ前後の高さの作業にも向いている。特に、図書館では、書庫の高い位置での本の取出し、収納に利用できる。
【００３９】
また、この種の万能カート１によれば、床面をキャスタ２１が転動すると、基台フレーム２０が水平移動し、回動軸４１の後方に突出して形成された跳ね上げ部４２が、座フレーム４０の上部の台部７０の先端７１の下側に入り、台部７０との重なりが深く結合する方向に相対移動すると、台部７０の先端７１の裏面は、前方が薄く、徐々に厚く形成されているから、即ち、先端７１の裏面の前方が床からの距離が高く、徐々に低くなっているから、跳ね上げ部４２が上方に回動し、図３のように、基台フレーム２０の回動角度が大きくなり、両者の重なり合いを許容する。この重なり合いは、基台フレーム２０を維持する枠状に形成し、座フレーム４０及び補助フレーム３０及び基台フレーム２０に溶接した座補助フレーム４３と、他の万能カート１の補助フレーム３０との当接によって、位置決めされる。
この状態で万能カート１を複数台重ね合わせて格納すれば、格納スペースを狭くて済むというメリットがある。
[実施の形態２]
【００４０】
図５は本発明の実施の形態２にかかる万能カート１の書見台５０側から見た全体斜視図であるが、図５においては、万能カート１の進行方向に対して、書見台５０の位置及び角物収納部６０の解放側が図１乃至図４に示した実施の形態１とは異なっている。
なお、実施の形態２において、実施の形態１と重複する仔細な説明を省略し、相違点のみを説明する。
【００４１】
図５において、起立フレーム１０は左右両側に対向した形状で、水平面に対して起立して配置されたものである。本実施の形態３における起立フレーム１０は、全体を正面から見て逆Ｕ字状とし、側面から見て略Ｓ字状としたものである。本実施の形態の起立フレーム１０は垂直部１１、その上部から延び、把持部１９を設けた水平部１２、更に書見台５０の平面部５１の所定の角度を定める書見角度設定部１３を１本のパイプ材を湾曲形成したものである。
【００４２】
書見台５０は、所定の角度を定める平面部５１の書見角度設定部１３に図示しない枠体５３を溶接し、所定の角度の平面部５１及び平面部５１の下端に形成した滑り止め部５２からなる書見台５０を形成している。
また、補助フレーム３０は実施の形態１のように水平部分を有することなく、上端を起立フレーム１０の水平部１２に溶接している。また、この実施の形態では、コ字状に形成し、起立フレーム１０の垂直部１１と水平部１２との間の曲がり部分に接合すれば、起立フレーム１０の広がりを規制することができる。また、書見台５０の枠体５３をコ字状に形成した起立フレーム１０の中間位置に溶接すれば、機械的強度を増加させることができる。
【００４３】
角物収納部６０は、台部７０側に開放部を有している。特に、書籍の商品出し、箱物の菓子等の商品出しの際には、前側または後側の解放はそれほど問題ないが、図書館で書籍を数冊抽出し、それを基に調査をする場合には、台部７０に腰を下ろし、角物収納部６０に並べられた書籍を順次目を通す場合には、台部７０側に開放面が存在した方が身近な操作となり利便性が高い。
[実施の形態３]
【００４４】
図６は本発明の実施の形態２にかかる万能カート１の書見台５０側から見た全体斜視図であるが、図６においては、万能カート１の進行方向に対して、書見台５０の見る方向及び角物収納部６０の解放側が図１乃至図４に示した実施の形態とは逆になっている。
なお、実施の形態３において、実施の形態１と重複する仔細な説明を省略し、相違点のみを説明する。
【００４５】
図６において、起立フレーム１０は左右両側に併設して対向し、水平面に対して起立して配置されたものである。本実施の形態１におれる起立フレーム１０は、全体を正面側から見て逆Ｕ字状としているが、各々を独立させ並行する略Ｌ字状とすることもできるし、略Ｈ型に形成することもできる。この起立フレーム１０は、基台フレーム２０の端部に溶接されている。この起立フレーム１０は、基台フレーム２０の端部から所定の距離入った上側に溶接されている。また、その全体形状的には、実施の形態１の起立フレーム１０の折曲方向を逆にしたものである。
【００４６】
補助フレーム３０は、起立フレーム１０の任意の高さから後方に延び、略Ｖ字状に突設された基台フレーム２０とその下部で接続されたもので、直線状に起立フレーム１０に接続する方法、または逆Ｌ字状的に起立フレーム１０の立ち上がりに接続する方法、弧状的に起立フレーム１０の立ち上がりに接続する方法等があり、何れの方法を採用してもよい。この補助フレーム３０は、後述する角物収納部６０の位置決めとして機能する。この補助フレーム３０の上部に把持部１９を形成したものである。
【００４７】
補助フレーム３０が起立フレーム１０と位置が変わっているので、座フレーム４０及び座フレーム４０の上に形成された台部７０は、起立フレーム１０側を回動軸４１として回動自在とし、回動軸４１の後方に突出して形成されてた跳ね上げ部４２は、座フレーム４０の上部の台部７０の先端７１が後方に相対移動するとき、台部７０を上方に跳ね上げて回動自在としている。即ち、台部７０の先端７１の裏面は、前方を薄く、徐々に厚く形成されており、前方の裏面が、後方の裏面よりも高い位置に設定されている。
【００４８】
実施の形態３の万能カート１のキャスタ２１が床面を転動すると、基台フレーム２０が水平移動し、回動軸４１の後方に突出形成された跳ね上げ部４２は、座フレーム４０の上部の台部７０の先端７１の下側に入り、両者が接近する方向に相対移動すると、台部７０の先端７１の裏面は、前方を薄く、徐々に厚く形成されており、先端７１の裏面の前方が高く、徐々に低くなっているから、跳ね上げ部４２が上方に回動し、図３のように、基台フレーム２０の回動角度が大きくなり、両者の重なり合いを許容する。この重なり合いは、基台フレーム２０を維持する枠状に形成し、座フレーム４０及び補助フレーム３０及び基台フレーム２０に溶接した座補助フレーム４３と、他の万能カート１の補助フレーム３０との当接によって、位置決めされる。
【００４９】
上記実施の形態１及び実施の形態２の万能カートは、左右両側に対向起立配置された起立フレーム１０と、起立フレーム１０の下部と接合されて前方に略Ｖ字状に突設され、後方が対向起立配置された起立フレーム１０の左右に固着され、その下部に３個以上のキャスタ２１が配設された基台フレーム２０と、起立フレーム１０の任意の高さから前方に延び、略Ｖ字状に突設された基台フレーム２０に下部が接続された補助フレーム３０と、補助フレーム３０から前方に略Ｖ字状に突設され、後方が対向起立配置された補助フレーム３０の左右に固着された座フレーム４０と、起立フレーム１０の上部に配設し、所定の角度の平面部５１及び平面部５１の下端に形成した滑り止め部５２からなる書見台５０と、書見台５０の下部に位置し、直角に形成された底面６１及び背面６２並びに底面６１及び背面６２に直角に形成された両端面６３，６４からなり、底面６１と背面６２の交点が最下位置となる角物収納部６０と、座フレーム４０の上に形成され、補助フレーム３０側を回動軸４１として回動自在とし、回動軸４１の後方に突出して形成された跳ね上げ部４２は、座フレーム４０の上部を後方に進行するとき、上方に回動自在とし、上面を略平面とした台部７０とを具備するものである。
【００５０】
また、上記実施の形態３の万能カート１は、左右両側に対向起立配置された起立フレーム１０と、起立フレーム１０の下部と接合されて前方に略Ｖ字状に突設され、後方が対向起立配置された起立フレーム１０の左右に固着され、その下部に３個以上のキャスタ２１が配設された基台フレーム２０と、起立フレーム１０の任意の高さから後方に延び、前記略Ｖ字状に突設された基台フレーム２０に下部が接続された補助フレーム３０と、起立フレーム１０から前方に略Ｖ字状に突設され、後方が対向起立配置された起立フレーム１０の左右に固着された座フレーム４０と、起立フレーム１０の上部に配設し、所定の角度の平面部５１及び平面部５１の下端に形成した滑り止め部５２からなる書見台５０と、書見台５０の下部に位置し、直角に形成された底面６１及び背面６２並びに底面６１及び背面６２に直角に形成された両端面６３，６４からなり、底面６１と背面６２の交点が最下位置となる角物収納部６０と、座フレーム４０の上に形成され、起立フレーム１０側を回動軸４１として回動自在とし、前記回動軸４１の後方に突出して形成された跳ね上げ部４２が座フレーム４０の上部を後方に進行するとき、上方に回動自在とし、上面を略平面とした台部７０とを具備するものである。
【００５１】
したがって、上記実施の形態１乃至実施の形態３の万能カートは、書見台５０には頁を開いた本以外にも、商品出しの配置図、店舗内の地図、図書館内の図書の配置図、パソコン等を置くことができる。また、商品の補充の場合には、当該リストを置き、その納品の確認を行うことができる。この書見台５０は書物を読む意味に限られた書見台ではなく、次に、陳列する商品の一時置きとしても使用できる。
【００５２】
また、角物収納部６０は書物の一時置きとしては勿論、菓子の箱物等の一時置き、袋物置としても使用できる。特に、図書館では、借り出す本、返却する本を入れて、特定の書庫まで搬送するのにも使用される。
そして、台部７０には、他に商品出しを行う商品、回収商品、箱物、本等を積載できる。特に、腰掛けとしても、踏み台としても使用でき、２ｍ前後の高さの作業にも向いている。特に、図書館では、書庫の高い位置での本の取出し、収納に利用できる。
【００５３】
更に、実施の形態１の万能カート１は、書見台５０が万能カート１を移動させるものの方向から確認される形態であるから、商品出しの配置図、店舗内の地図、図書館内の図書の配置図等の目的対象を明確に表示し、それを確認しながら移動することができる。特に、図書館では、本棚と借り出す本、返却する本の取出し入れが書見台５０側であり、角物収納部６０の解放側も後方であり、操作者Ｍ側であるからその操作性が良い。そして、作業段階に合わせて、書物を台部７０の上に載せたり、フレーム網４４の上に載せたりすることができる。
【００５４】
更に、実施の形態２及び実施の形態３の万能カート１は、書見台５０が万能カート１を移動させるものの方向の反対側にあるから、まとまった商品出しを行う配置図、店舗内の地図、図書館内の図書の配置図等の目的位置で、書物を台部７０の上に載せたり、フレーム網４４の上に載せたりした商品の出し入れを行うことができる。
また、図書館では、閲覧者(操作者Ｍ)に貸し出しを行えば、椅子がなくても、複数の本の調査や、目を通すことができる。
【００５５】
実施の形態１乃至実施の形態３の万能カート１は、更に、台部７０を開放することによって得られる収容スペース４６により、そこに商品等の物品の収容または取り出しが自在となり、商品の出し入れに使用でき、また、段ボール箱を入れることにより、回収箱としても使用できる。また、特に、図書館等においては、カバン等の私物置きとして使用できる。
【００５６】
実施の形態１及び実施の形態２の発明にかかる万能カート１は、起立フレーム１０、基台フレーム２０、補助フレーム３０、座フレーム４０によって全体の主なフレーム構成を形成し、そこに、起立フレーム１０の上部に配設し、所定の角度の平面部５１及び平面部５１の下端に形成した滑り止め部５２からなる書見台５０と、書見台５０の下部に位置し、直角に形成された底面６１及び背面６２並びに底面６１及び背面６２に直角に形成された両端面６３，６４からなり、底面６１と背面６２の交点が最下位置となる角物収納部６０と、座フレーム４０の上に形成され、補助フレーム３０側を回動軸４１として回動自在とし、回動軸４１の後方に突出させるように形成された跳ね上げ部４２が、座フレーム４０の上部を後方に進行するとき、上方に回動自在とし、上面を平面とした台部７０を配設したものである。
【００５７】
ここで、上記実施の形態の起立フレーム１０は、左右両側に併設するように対向起立配置され、全体を逆Ｕ字状としたり、並行する一対の略Ｌ字状のフレームとすることができる。
また、上記実施の形態の基台フレーム２０は、１対の起立フレーム１０の下部で接合されて前方に略Ｖ字状に突設され、後方が対向起立配置された起立フレーム１０の左右に固着され、その下部に３個以上のキャスタ２１が配設されたものである。ここで、前方に略Ｖ字状に突設するは、尖鋭な突起をいうものではなく、略Ｕ字状に出ていればよく、また、略コ字状であってもよい。何れにせよ、前方の幅が後方の幅よりも狭いものであり、他の万能カート１と重なり合うことができるものであればよい。
【００５８】
そして、上記実施の形態の補助フレーム３０は、起立フレーム１０の任意の高さから前方に突出し、前記略Ｖ字状に突設された基台フレーム２０に下端を接続されたもので、直線的または逆Ｌ字状的、弧状的に接続したものである。
上記実施の形態の座フレーム４０は、補助フレーム３０から前方に略Ｖ字状に突設され、後方が対向起立配置された補助フレーム３０の左右に固着されたものである。ここで、前方に略Ｖ字状に突設は、尖鋭な突起をいうものではなく、略Ｕ字状であればよく、また、略コ字状であってもよい。何れにせよ、前方の幅が後方の幅よりも狭いことを意味する。通常、前記基台フレームの形状に略同様の形状にされ、他の万能カート１と重なり合うことができるものであればよい。
【００５９】
加えて、上記実施の形態の書見台５０は、起立フレーム１０の上部に配設し、所定の角度の平面部５１及び平面部５１の下端に形成した滑り止め部５２からなる。ここで、所定の角度の平面部５１とは、前方に高く設定してもよいし、後方に高く設定してもよいし、或いは側面に傾斜させてもよい。それに伴い滑り止め部５２の位置が最下部の位置として固定される。直角に形成された底面６１及び背面６２並びに底面６１及び背面６２に直角に形成された両端面６３，６４からなり、底面６１と背面６２の交点が最下位置となっている。ここで、底面６１と背面６２の交点が最下位置とは、本または箱物等の角物を一時的に格納しやすくしたものである。
【００６０】
そして、上記実施の形態の台部７０は、座フレーム４０の上に形成され、補助フレーム３０側を回動軸４１として回動自在とし、他の万能カート１に直列に整列させるとき、回動軸４１の後方に突出させて形成してなる跳ね上げ部４２は、座フレーム４０の上部を後方に進行するとき、上方に回動自在としたものである。
ところで、回動軸４１の後方に突出させて形成してなる跳ね上げ部４２は、台部７０の後端を座フレーム４０の上部の台部７０の先端７１の下が輪に入るように設定すれば、台部７０を上方に跳ね上げて回動を自在とできるから、跳ね上げ部４２は、台部７０の後端とすることもできる。
【００６１】
実施の形態１乃至実施の形態３の万能カート１は、図書館、スーパーマーケット、コンビニ等の店舗で本を含む商品の出し入れ、商品の返却、返品整理に用いられる手押しのカートとして使用できる。特に、書見台及び台部を有する万能カートであり、特に、図書館では、混雑した館内で椅子がない場合には、椅子としても、書見台としても使用できる。
【符号の説明】
【００６２】
１    万能カート
１０    起立フレーム
１９    把持部
２０    基台フレーム
３０    補助フレーム
４０    座フレーム
４２    跳ね上げ部
４４    フレーム網
５０    書見台
５１    平面部
５２    滑り止め部
６０    角物収納部
７０    台部
【図１】
2013147125.tif 000003
【図２】
2013147125.tif 000004
【図３】
2013147125.tif 000005
【図４】
2013147125.tif 000006
【図５】
2013147125.tif 000007
【図６】
2013147125.tif 000008